(57)【要約】【課題】コネクタ同士の嵌合音を作業者が確実に察知できるようにする。【解決手段】コネクタ１は、雌ハウジング２と雄ハウジング３とを備えている。雌ハウジング２は、フード部２２の上壁の後縁部に、空気孔２３を備えている。空気孔２３は、フード部２２の内面から外面にかけてを貫通しており、内面側から外面側にかけて外径を徐々に縮経させている。雄ハウジング３は、ロックアーム３１を備えており、雌ハウジング２を雄ハウジング３に装着する際、ロックアーム３１の上面がフード部２２の上壁の内面に当接して、衝突音が発生する。空気孔２３からは、ロックアーム３１とフード部２２との衝突音よりも高い大きな音が出音され、ロックアーム３１とフード部２２との衝突音に重ね合わされる。【選択図】図１
2010186629.tif 000002
【特許請求の範囲】
【請求項１】
雄ハウジング及び雌ハウジングの何れか一方がフード部に備える係止部に、他方のロックアームに備えられた突部を前記フード部の内側から係止させて、前記雄ハウジングを前記雌ハウジングに装着するコネクタであって、
前記フード部は、前記突部を前記係止部に係止させる際に弾性復帰した前記ロックアームが衝突する箇所に、前記フード部を内側から外側にかけて貫通する貫通孔を備え、
前記貫通孔は、内側から外側にかけて徐々に縮径していることを特徴とするコネクタ。
【発明の詳細な説明】
【技術分野】
【０００１】
本発明は、雄ハウジング及び雌ハウジングの何れか一方がフード部に備える係止部に、他方のロックアームに備えられた突部をフード部の内側から係止させて、ハウジング同士を装着するコネクタに関する。
【背景技術】
【０００２】
下記の特許文献１に開示された防水コネクタは、雌ハウジングのフード部に装着されたパッキンをフード部の奥方にパッキン押環で押圧することで、フード部内に装着された雄ハウジングの外周面にパッキンを密嵌させる。パッキン押環には、空気逃げ用の複数の通孔部が設けられており、雌ハウジングに雄ハウジングを装着する際に雌ハウジング内の空気が通孔部を通って排気されることで、ハウジング同士の衝突音を確実に発生させている。
【０００３】
また、特許文献２に開示されたコネクタは、第１ハウジングのロックアームが備える被係止部に、第２ハウジングのフード部が備える係止部を係止させることで両ハウジング同士が装着される。フード部の先端からは、フード部の上面との間に間隙を設けて、フード部と平行に平板状の発振部が延びている。係止部は、発振部の上面に備えられている。第２ハウジングを第１ハウジングに装着する際、ロックアームの被係止部が係止部に上側から乗り上げて撓み、被係止部が係止部を乗り越えると、被係止部が発振部に落ち込んで両者が衝突する。この衝突音は、発振部とフード部との間の間隙からなる共鳴空間内で共鳴し、音量を高められて出音される。
【先行技術文献】
【特許文献】
【０００４】
【特許文献１】特開平７−２９６３０号公報
【特許文献２】特開２００５−１５８４１７号公報
【発明の概要】
【発明が解決しようとする課題】
【０００５】
自動車工場等の様々な音が出音される環境でコネクタハウジング同士を装着させる際には、他の作業で発生する音とコネクタ同士を装着させる際に発生する嵌合音とを区別して、作業者が嵌合音を確実に察知できるようにすることが望まれている。
【０００６】
本発明は、このような状況に鑑みてなされたものであり、上記課題を解決することができるコネクタを提供することを目的とする。
【課題を解決するための手段】
【０００７】
このような目的を達成するために、本発明のコネクタは、雄ハウジング及び雌ハウジングの何れか一方がフード部に備える係止部に、他方のロックアームに備えられた突部を前記フード部の内側から係止させて、前記雄ハウジングを前記雌ハウジングに装着するコネクタであって、前記フード部が、前記突部を前記係止部に係止させる際に弾性復帰した前記ロックアームが衝突する箇所に、前記フード部を内側から外側にかけて貫通する貫通孔を備え、前記貫通孔が、内側から外側にかけて徐々に縮径していることを特徴とする。
【発明の効果】
【０００８】
本発明によれば、ロックアームとフード部との衝突で生じる嵌合音を、貫通孔を通して出音することで作業者に確実に察知させることができる。
【図面の簡単な説明】
【０００９】
【図１】本発明の一実施形態のコネクタの構成の概略を示す斜視図である。
【図２】図１に示すコネクタの雌ハウジングの構成の概略を示す斜視図である。
【図３】雌ハウジングの構成の概略を示す縦断面図である。
【図４】雌ハウジングに雄ハウジングを装着する状態でのコネクタの縦断面図である。
【発明を実施するための形態】
【００１０】
以下、図面を参照して、本発明の最良の形態を説明する。図１は、本実施形態のコネクタ１の構成の概略を示す図であり、上方からの斜視図である。図２は、コネクタ１が備える雌ハウジング２の下方からの斜視図である。図３は、雌ハウジング２の左右方向の中央部での縦断面図である。図４は、雌ハウジング２に雄ハウジング３を装着する状態でのコネクタの縦断面図である。なお、以下の説明で用いる上下，前後，及び左右の各方向は説明に用いる各図に示している。この上下，前後，左右は説明のために記載したもので、実際の配置と異なってよいことはもちろんである。
【００１１】
図１に示すように、コネクタ１は、端子収容室２ａに端子を収納する雌ハウジング２と、端子収容室３ａに端子を収納する雄ハウジング３とを備えており、雌ハウジング２に雄ハウジング３を装着して、端子収容室２ａに収納された端子と端子収容室３ａに収納された端子とを接続する。図１及び図２に示すように、雌ハウジング２は、端子収容室２ａを備えた略四角ブロック状の雌本体２１と、雌本体２１の後端から後方に略四角筒状を呈して延びたフード部２２とを備えており、フード部２２の後端に開口させた収容口２５に雄ハウジング３を収容する。図２に示すように、収容口２５の上壁の内面には、一対のガイド突条２２ａが設けられている。ガイド突条２２ａは、フード部２２の上壁の左右方向の中央部に位置しており、フード部２２の前縁部から後方に向けて、２列に並んで延びている。
【００１２】
フード部２２の上壁の後縁部には、空気孔２３が設けられている。空気孔２３は、一対のガイド突条２２ａの間に位置するフード部２２の上壁の左右方向の中央部に配置されており、円形の開口形状を有してフード部２２の内面から外面にかけてを貫通している。図３に示すように、空気孔２３は、内面側から外面側にかけて外径を徐々に縮経させている。フード部２２の下壁の空気孔２３と対向する位置には、貫通孔２６が形成されている。空気孔２３の前方に位置するフード部２２の上壁には、後述する雄ハウジング３のロックアーム３１が備える係止突部３１ａを係止するための係止孔２４が設けられている。係止孔２４は、空気孔２３の前方に位置しており、前後方向に延びる略矩形の開口形状を有してフード部２２の上壁を貫通している。
【００１３】
図１に示すように、雄ハウジング３は、略四角ブロック状を呈しており、前面に端子収容室３ａを開口させている。雄ハウジング３の左右方向の中央部には、雄ハウジング３の上面を下方に窪ませて構成された収容凹部３２が、雄ハウジング３の前端から後端にかけて延びている。収容凹部３２の底面の左右方向の中央部には、雄ハウジング３を雌ハウジング２に係止するためのロックアーム３１が設けられている。
【００１４】
ロックアーム３１は、収容凹部３２の底面の前端部から上方に延びた後、収容凹部３２内を収容凹部３２の延設方向に沿って後方に延びており、後端部の上面には指掛部３１ｂを備えている。ロックアーム３１の前後方向の中央部には、雌ハウジング２の係止孔２４に係止する係止突部３１ａが突設されている。係止突部３１ａは、下端側から上端側にかけて前面を後方に傾斜させた形状の略四角ブロック体から構成されている。係止突部３１ａの傾斜した前面は、係止突部３１ａを収容口２５内に導く案内面となっている。雌ハウジング２がフード部２２に備えるガイド突条２２ａは、ロックアーム３１の左右の両側に位置する収容凹部３２ａによりガイドされる。
【００１５】
図１に太矢印で示すように、雌ハウジング２のフード部２２に雄ハウジング３を挿入すると、雄ハウジング３のロックアーム３１が係止突部３１ａの案内面をフード部２２の上壁に当接させ、下方に撓む。雄ハウジング３が収容口２５内を前方に進み、ロックアーム３１の係止突部３１ａが係止孔２４の後端部まで移動すると、ロックアーム３１の撓みが解けて、係止突部３１ａが係止孔２４内に進入する。このとき、係止突部３１ａの後方に位置するロックアーム３１の上面がフード部２２の上壁の内面に当接し、嵌合音を発生させる。嵌合音は、空気孔２３の下端開口部から空気孔２３内を通り空気孔２３の上端開口部から雌ハウジング２の外部に出音される。
【００１６】
空気孔２３が下端開口部から上端開口部にかけて縮経していることから、空気孔２３内で空気が圧縮されて音圧及び周波数が高まり、ロックアーム３１とフード部２２との衝突音よりも高い大きな音が出音される。また、空気孔２３内で圧縮された空気が空気孔２３の上端開口部から放出されて、上端開口部付近に気流の乱れを生じさせ、ロックアーム３１とフード部２２との衝突音よりも高い音が発生する。この結果、ロックアーム３１とフード部２２との衝突音に、これらの空気孔２３を通して出音される音が重ね合わされた特徴的な大きな音を、作業者に聴かせることができる。
【００１７】
本実施形態によれば、ロックアーム３１の係止突部３１ａを係止孔２４に係止させる際に、ロックアーム３１がフード部２２に衝突する衝突音と、空気孔２３を通して出音される音が重ね合わされた音を作業者に聴かせることで、雌ハウジング２と雄ハウジング３との嵌合を作業者に確実に察知させることができる。
【００１８】
上記実施形態では、フード部２２に１つの空気孔２３が備えられている場合について説明した。しかしながら、フード部２２に設ける空気孔２３の数量は任意であり、複数設けてもよい。また、空気孔２３は、内側に比べて外側の径が小さい方が、ロックアーム３１とフード部２２との衝突の際により高い音を発生させられることから、作業者に察知させたい嵌合音の高さに応じて空気孔２３の内側に比べた外側の縮経率を適宜定めることができる。
【符号の説明】
【００１９】
１      コネクタ
２      雌ハウジング
３      雄ハウジング
２１    雌本体
２２    フード部
２５    収容口
２３    空気孔
３１    ロックアーム
３１ａ  係止突部
２４    係止孔
３２    収容凹部
【図１】
2010186629.tif 000003
【図２】
2010186629.tif 000004
【図３】
2010186629.tif 000005
【図４】
2010186629.tif 000006